(57)【要約】      （修正有）【課題】漏れ磁束を調整できるトランスを提供する。【解決手段】トランスが、互いに電磁気で連結して、ボビンユニット２の一次および二次巻線部分２１、２２の回りにそれぞれ巻付けられた一次および二次巻線３、４と、ボビンユニット２に取り付けられて、磁気回路経路を形成する第１および第２の磁心部品６１、６２を含む磁心ユニット６とを含む。第１の磁心部品６１は、接続セグメント６１１から延伸する挿入および拡張セグメント６１２、６１３を含む。第２の磁心部品６２は、挿入および拡張セグメント６２２、６２３ならびに接続セグメント６２１から第１の磁心部品６１の方へ延伸する調整セグメント６２４を含む。第１および第２の磁心部品６１、６２の拡張セグメント６１３、６２３は、互いに接触する。【選択図】図２
2010135745.tif 000002
【特許請求の範囲】
【請求項１】
トランスであって、
第１の一次巻線部分（２１）および第１の二次巻線部分（２２）を有するボビンユニット（２、２ｂ、２ｃ）と、
前記ボビンユニット（２、２ｂ、２ｃ）の前記第１の一次巻線部分（２１）の回りに巻付けられる第１の一次巻線（３）と、
前記ボビンユニット（２、２ｂ、２ｃ）の前記第１の二次巻線部分（２２）の回りに巻付けられ、かつ前記第１の一次巻線（３）に電磁気で連結する第１の二次巻線（４）と、
前記ボビンユニット（２、２ｂ、２ｃ）に取り付けられる磁心ユニット（６、６ａ、６ｂ、６ｃ、６ｄ、６ｅ、６ｆ）であって、かつ、
第１の磁心部品（６１、６１ｂ、６１ｃ、６１ｄ、６１ｆ）であって、
長手方向（Ｘ）に延伸する接続セグメント（６１１）、
前記第１の磁心部品（６１、６１ｂ、６１ｃ、６１ｄ、６１ｆ）の前記接続セグメント（６１１）から長手方向（Ｘ）に対して垂直な横方向（Ｙ）に、かつ前記ボビンユニット（２、２ｂ、２ｃ）の前記第１の一次巻線部分（３）を通して延伸する第１の挿入セグメント（６１２）、および、
前記第１の磁心部品（６１、６１ｂ、６１ｃ、６１ｄ、６１ｆ）の前記接続セグメント（６１１）から横方向（Ｙ）に延伸し、かつ前記第１の磁心部品（６１、６１ｂ、６１ｃ、６１ｄ、６１ｆ）の前記第１の挿入セグメント（６１２）から離れて間隔を置かれる、第１の拡張セグメント（６１３）、を含む第１の磁心部品、ならびに、
前記第１の磁心部品（６１、６１ｂ、６１ｃ、６１ｄ、６１ｆ）と共に磁気回路経路を形成する第２の磁心部品（６２、６２ａ、６２ｂ、６２ｃ、６２ｅ、６２ｆ）であって、かつ、
長手方向（Ｘ）に延伸する接続セグメント（６２１）、
前記第２の磁心部品（６２、６２ａ、６２ｂ、６２ｃ、６２ｅ、６２ｆ）の前記接続セグメント（６２１）から、前記第１の磁心部品（６１、６１ｂ、６１ｃ、６１ｄ、６１ｆ）の方へ横方向（Ｙ）に、かつ前記ボビンユニット（２、２ｂ、２ｃ）の前記第１の二次巻線部分（２２）を通して延伸し、かつ前記第１の磁心部品（６１、６１ｂ、６１ｃ、６１ｄ、６１ｆ）の前記第１の挿入セグメント（６１２、６１２ｄ）と接触して配設される、第１の挿入セグメント（６２２）、
前記第２の磁心部品（６２、６２ａ、６２ｂ、６２ｃ、６２ｅ、６２ｆ）の前記接続セグメント（６２１）から前記第１の磁心部品（６１、６１ｂ、６１ｃ、６１ｄ、６１ｆ）の方へ横方向（Ｙ）に延伸し、前記第２の磁心部品（６２、６２ａ、６２ｂ、６２ｃ、６２ｅ、６２ｆ）の前記第１の挿入セグメント（６２２）から離れて間隔を置かれ、かつ前記第１の磁心部品（６１、６１ｂ、６１ｃ、６１ｄ、６１ｆ）の前記第１の拡張セグメント（６１３）と接触して配設される、第１の拡張セグメント（６２３、６２３ａ）、および、
前記第２の磁心部品（６２、６２ａ、６２ｂ、６２ｃ、６２ｅ、６２ｆ）の前記接続セグメント（６２１）から前記第１の磁心部品（６１、６１ｂ、６１ｃ、６１ｄ、６１ｆ）の方へ横方向（Ｙ）に延伸する、第１の調整セグメント（６２４、６２４ａ）を含む第２の磁心部品、を含む磁心ユニットと、を備えるトランス。
【請求項２】
請求項１に記載のトランスであって、第１の空隙（１００）が、前記第１の磁心部品（６１、６１ｂ、６１ｃ、６１ｄ、６１ｆ）の前記第１の挿入セグメント（６１２、６１２ｄ）と前記第２の磁心部品（６２、６２ａ、６２ｂ、６２ｃ、６２ｅ、６２ｆ）の前記第１の調整セグメント（６２４）との間に形成される、ことを特徴とするトランス。
【請求項３】
請求項２に記載のトランスであって、さらに、前記第２の磁心部品（６２、６２ａ、６２ｂ、６２ｃ）の前記第１の調整セグメント（６２４、６２４ａ）が、前記第２の磁心部品（６２、６２ａ、６２ｂ、６２ｃ）の前記第１の挿入セグメント（６２２）と前記拡張セグメント（６２３、６２３ａ）との間に配設される、ことを特徴とするトランス。
【請求項４】
請求項３に記載のトランスであって、さらに、前記第２の磁心部品（６２ａ）の前記第１の調整セグメント（６２４ａ）が、前記第２の磁心部品（６２ａ）の前記第１の拡張セグメント（６２３ａ）に一体的に接続されている、ことを特徴とするトランス。
【請求項５】
請求項３に記載のトランスであって、さらに、前記第１の一次巻線（３）に電磁気で連結する第２の二次巻線（４’）によって特徴付けられ、
前記ボビンユニット（２ｂ）が更に、長手方向（Ｘ）に前記第１の二次巻線部分（２２）の反対側に、その周囲に前記第２の二次巻線（４’）を巻付けるための、第２の二次巻線部分（２２’）を有し、
前記第１の磁心部品（６１ｂ）の前記第１の挿入セグメント（６１２）が、前記第１の磁心部品（６１ｂ）の前記第１および第２の拡張セグメント（６１３、６１４）の間に間隔をおいて配設されるように、前記磁心ユニット（６ｂ）の前記第１の磁心部品（６１ｂ）が、前記第１の磁心部品（６１ｂ）の前記接続セグメント（６１１）から横方向（Ｙ）に、かつ長手方向（Ｘ）に前記第１の磁心部品（６１ｂ）の前記第１の拡張セグメント（６１３）の反対側に延伸する、第２の拡張セグメント（６１４）を更に含み、かつ、
前記磁心ユニット（６ｂ）の前記第２の磁心部品（６２ｂ）が、
第２の拡張セグメント（６２５）であって、前記第２の磁心部品（６２ｂ）の前記第１の挿入セグメント（６２２）および前記第１の調整セグメント（６２４）が、前記第２の磁心部品（６２ｂ）の前記第１および第２の拡張セグメント（６２３、６２５）の間に間隔をおいて配設されて、かつ前記第１の磁心部品（６１ｂ）の前記第２の拡張セグメント（６１４）と接触して配設されるように、前記第２の磁心部品（６２ｂ）の前記接続セグメント（６２１）から前記第１の磁心部品（６１ｂ）の方へ横方向（Ｙ）に、長手方向（Ｘ）に前記第２の磁心部品（６２ｂ）の前記第１の拡張セグメント（６２３）の反対側に延伸する、第２の拡張セグメントと、
前記第２の磁心部品（６２ｂ）の前記第１の拡張セグメント（６２３）と前記第１の調整セグメント（６２４）との間に配設され、かつ、前記第１の磁心部品（６１ｂ）の前記第１の挿入セグメント（６１２）と接触するように、前記第２の磁心部品（６２ｂ）の前記接続セグメント（６２１）から前記第１の磁心部品（６１ｂ）の方へ横方向（Ｙ）にかつ前記ボビンユニット（２ｂ）の前記第２の二次巻線部分（２２’）を通して延伸する、第２の挿入セグメント（６２６）と、を更に含むことを特徴とする、トランス。
【請求項６】
請求項５に記載のトランスであって、さらに、前記ボビンユニット（２ｂ）が、
横方向（Ｙ）に互いの反対側に第１および第２の巻線端部分（２０１、２０２）を有する、第１のボビン（２０）であって、前記第１のボビン（２０）の前記第２の巻線端部分（２０２）が、前記第１の二次巻線部分（２２）として働く第１のボビンと、
横方向（Ｙ）に互いの反対側に第１および第２の巻線端部分（２０１’、２０２’）を有する、第２のボビン（２０’）であって、前記第２のボビン（２０’）の前記第２の巻線端部分（２０２’）が、前記第１のボビン（２０）の前記第２の巻線端部分（２０２）に接続されて、かつ前記第２の二次巻線部分（２２’）として働き、前記第１および第２のボビン（２０、２０’）の前記第１の巻線端部分（２０１、２０１’）が相補的であり、かつ互いに接続されて、かつ前記第１の一次巻線部分（２１）を構成する、第２のボビンと、を含むことを特徴とする、トラン
【請求項７】
請求項６に記載のトランスであって、さらに、
前記ボビンユニット（２ｂ）の前記第１および第２のボビン（２０、２０’）の各々が、その前記第１の巻線端部分（２０１、２０１’）から延伸する第１および第２のピン（２１４、２１５）ならびにその前記第２の巻線端部分（２０２、２０２’）から延伸する第３のピン（２１６）を更に有し、
前記第１の一次巻線（３）が、前記第１および第２のボビン（２０、２０’）の第１のピン（２１４）にそれぞれ連結する対向端部分を有する巻線ワイヤの連続的な巻付を通して形成され、
前記第１の二次巻線（４）が、対向端部分を有する巻線ワイヤの連続的な巻付を通して形成され、その一方が、前記ボビンユニット（２ｂ）の前記第１のボビン（２０）の前記第１の巻線端部分（２０１）に沿って延伸し、かつ前記ボビンユニット（２ｂ）の前記第１のボビン（２０）の前記第２のピン（２１５）に連結し、およびそのもう一方が、前記ボビンユニット（２ｂ）の前記第１のボビン（２０）の前記第３のピン（２１６）に連結し、ならびに、
前記第２の二次巻線（４’）が、対向端部分を有する巻線ワイヤの連続的な巻付を通して形成され、その一方が、前記ボビンユニット（２ｂ）の前記第２のボビン（２０’）の前記第１の巻線端部分（２０１’）に沿って延伸し、かつ前記ボビンユニット（２ｂ）の前記第２のボビン（２０’）の前記第２のピン（２１５）に連結し、およびそのもう一方が、前記ボビンユニット（２ｂ）の前記第２のボビン（２０’）の前記第３のピン（２１６）に連結する、ことを特徴とするトランス。
【請求項８】
請求項７に記載のトランスであって、さらに、前記ボビンユニット（２ｂ）の前記第１および第２のボビン（２０、２０’）の各々の前記第１の巻線端部分（２０１、２０１’）が、それを通して前記第１および第２の二次巻線（４、４’）の対応する１つの前記巻線ワイヤの前記対向端部分の前記１つの延伸ができるようにするためのワイヤ収容通路（２１３）とともに形成されている、ことを特徴とするトランス。
【請求項９】
請求項７に記載のトランスであって、さらに、前記第１および第２のボビン（２０、２０’）の１つが係合溝（２１７）とともに形成され、および、前記第１および第２のボビン（２０、２０’）の残りの１つが前記係合溝（２１７）を係合する係合フランジ（２１８）を有する、ことを特徴とするトランス。
【請求項１０】
請求項７に記載のトランスであって、さらに、前記ボビンユニット（２ｂ）の前記第１の一次巻線部分（２１）が、前記第１および第２の二次巻線部分（２２、２２’）に接続され、かつ前記第１および第２の二次巻線部分（２２、２２’）の間に配設され、かつ前記第２の磁心部品（６２ｂ）の前記第１の調整セグメント（６２４）と位置合せされる開口部（２１９）とともに形成され、それによってそれを通して磁界線の通過ができるようにする、接続側を有する、ことを特徴とするトランス。
【請求項１１】
請求項３に記載のトランスであって、さらに、第２の一次巻線（３’）および前記第２の一次巻線（３’）に電磁気で連結する第２の二次巻線（４’）、によって特徴付けられ、
前記ボビンユニット（２ｃ）が、長手方向（Ｘ）に互いの反対側に第１および第２のボビン（２０ｃ、２０ｃ’）を含み、前記第１および第２のボビン（２０ｃ、２０ｃ’）の各々が、横方向（Ｙ）に互いの反対側に第１および第２の巻線端部分を有し、前記第１のボビン（２０ｃ）の前記第１および第２の巻線端部分が、それぞれ前記第１の一次巻線部分（２１）および前記第１の二次巻線部分（２２）として働き、前記第２のボビン（２０ｃ’）の前記第１および第２の巻線端部分が、それぞれ、その周囲に前記第２の一次巻線（３’）を巻付けるための第２の一次巻線部分（２１’）、および、その周囲に前記第２の二次巻線（４’）を巻付けるための第２の二次巻線部分（２２’）、として働き、
前記磁心ユニット（６ｃ）の前記第１の磁心部品（６１ｃ）が、前記第１の磁心部品（６１ｃ）の前記接続セグメント（６１１）から横方向（Ｙ）に前記ボビンユニット（２ｃ）の前記第２の一次巻線部分（２２’）を通して、かつ、前記第１の磁心部品（６１ｃ）の前記第１の拡張セグメント（６１３）が前記第１の磁心部品（６１ｃ）の前記第１および第２の挿入セグメント（６１２、６１５）の間に間隔をおいて配設されるように、長手方向（Ｘ）に前記第１の磁心部品（６１ｃ）の前記第１の挿入セグメント（６１２）の反対側に、延伸する、第２の挿入セグメント（６１５）を更に含み、および、
前記磁心ユニット（６ｃ）の前記第２の磁心部品（６２ｃ）が、
前記第２の磁心部品（６２ｃ）の前記第１の拡張セグメント（６２３）が前記第２の磁心部品（６２ｃ）の前記第１および第２の挿入セグメント（６２２、６２６）の間に間隔をおいて配設され、かつ前記第１の磁心部品（６１ｃ）の前記第２の挿入セグメント（６１５）と接触して配設されるように、前記第２の磁心部品（６２ｃ）の前記接続セグメント（６１１）から横方向（Ｙ）に前記ボビンユニット（２ｃ）の前記第２の二次巻線部分（２２’）を通して、長手方向（Ｘ）に前記第２の磁心部品（６２ｃ）の前記第１の挿入セグメント（６２２）の反対側に、延伸する、第２の挿入セグメント（６２６）、および、
第２の空隙（２００）が前記第１の磁心部品（６１ｃ）の前記第２の挿入セグメント（６１５）と前記第２の磁心部品（６２ｃ）の前記第２の調整セグメント（６２７）との間に形成されるように、前記第２の磁心部品（６２ｃ）の前記第２の挿入セグメント（６２６）と前記第１の拡張セグメント（６２３）との間に配設されて、かつ前記第２の磁心部品（６２ｃ）の前記接続セグメント（６２１）から前記第１の磁心部品（６１ｃ）の方へ横方向（Ｙ）に延伸する第２の調整セグメント（６２７）を更に含む、ことを特徴とするトランス。
【請求項１２】
請求項１１に記載のトランスであって、さらに、前記第２の磁心部品（６ｃ）の前記第１の拡張セグメント（６２３）が、前記第２の磁心部品（６ｃ）の前記第１および第２の調整セグメント（６２４、６２７）と一体的に接続されている、ことを特徴とするトランス。
【請求項１３】
請求項３に記載のトランスであって、さらに、前記第２の凸部（６１２２）が前記第１の拡張セグメント（６１３）と前記第１の凸部（６１２１）との間に配設されるように、前記第１の磁心部品（６１ｄ）の前記第１の挿入セグメント（６１２ｄ）が、長手方向（Ｘ）に互いの反対側に第１および第２の凸部（６１２１、６１２２）を有し、前記第１の凸部（６１２１）が、前記ボビンユニット（２）の前記第１の二次巻線部分（２２）の中に延伸し、かつ前記第２の磁心部品（６２）の前記第１の挿入セグメント（６２２）と接触して配設され、前記第２の凸部（６１２２）が、前記ボビンユニット（２）の前記第１の一次巻線部分（２１）から外側に延伸し、かつ、前記第１の空隙（１００）が前記第２の凸部（６１２２）と前記第２の磁心部品（６２）の前記第１の調整セグメント（６２４）との間に形成されるように、前記第２の磁心部品（６２）の前記第１の調整セグメント（６２４）と位置合せされる、ことを特徴とするトランス。
【請求項１４】
請求項２に記載のトランスであって、さらに、前記第２の磁心部品（６２ｅ、６２ｆ）の前記第１の挿入セグメント（６２２）が、前記第２の磁心部品（６２ｅ、６２ｆ）の前記第１の拡張セグメント（６２３）と前記第１の調整セグメント（６２４）との間に間隔をおいて配設される、ことを特徴とするトランス。
【請求項１５】
請求項１４に記載のトランスであって、さらに、
前記第１の磁心部品（６１ｆ）の前記第１の挿入セグメント（６１２）が、前記第１の磁心部品（６１ｆ）の前記第１および第２の拡張セグメント（６１３、６１４）の間に間隔をおいて配設されるように、前記磁心ユニット（６ｆ）の前記第１の磁心部品（６１ｆ）が、前記第１の磁心部品（６１ｆ）の前記接続セグメント（６１１）から横方向（Ｙ）に、かつ長手方向（Ｘ）に前記第１の磁心部品（６１ｆ）の前記第１の拡張セグメント（６１３）の反対側に延伸する、第２の拡張セグメント（６１４）を更に含み、および、
前記第２の磁心部品（６２ｆ）の前記第１の挿入セグメント（６２２）および前記第１の調整セグメント（６２４）が、前記第２の磁心部品（６２ｆ）の前記第１および第２の拡張セグメント（６２３、６２５）の間に間隔をおいて配設されて、かつ前記第１の磁心部品（６１ｆ）の前記第２の拡張セグメント（６１４）と接触して配設されるように、前記磁心ユニット（６ｆ）の前記第２の磁心部品（６２ｆ）が、前記第２の磁心部品（６２ｆ）の前記接続セグメント（６２１）から前記第１の磁心部品（６１ｆ）の方に横方向（Ｙ）に、長手方向（Ｘ）に前記第２の磁心部品（６２ｆ）の前記第１の拡張セグメント（６２３）の反対側に延伸する、第２の拡張セグメント（６２５）を更に含む、ことを特徴とするトランス。
【請求項１６】
請求項１に記載のトランスであって、前記磁心ユニット（６、６ａ）の前記第２の磁心部品（６２、６２ａ）の前記調整セグメント（６２４、６２４ａ）が、前記磁心ユニット（６、６ａ）の前記第１の磁心部品（６１）に面し、かつ磁気リーク域として機能する端面（６０）を有する、ことを特徴とするトランス。
【請求項１７】
トランスであって、
一次巻線部分（２３）、２つの二次巻線部分（２４）ならびに前記一次巻線部分（２３）および前記二次巻線部分（２４）をその中に取り付けるためのケーシング（２５）を含むボビンユニット（２ｇ）と、
前記ボビンユニット（２ｇ）の前記一次巻線部分（２３）の回りに巻付けられる一次巻線（３）と、
前記ボビンユニット（２ｇ）の前記二次巻線部分（２４）の回りにそれぞれ巻付けられて、かつ前記一次巻線（３）に電磁気で連結する２つの二次巻線（４）と、
前記ボビンユニット（２ｇ）に取り付けられる磁心ユニット（５）であって、かつ、
第１の磁心部品（５１）であって、
長手方向（Ｘ）に延伸する接続セグメント（５１１）、
長手方向（Ｘ）に互いの反対側の、かつ長手方向（Ｘ）に対して垂直の横方向（Ｙ）に前記第１の磁心部品（５１）の前記接続セグメント（５１１）から前記ケーシング（２５）の中に延伸する、２つの拡張セグメント（５１３）、および、
前記第１の磁心部品（５１）の前記拡張セグメント（５１３）の間に間隔をおいて配設されて、かつ前記接続セグメント（５１１）から横方向（Ｙ）に前記ボビンユニット（２ｇ）の前記一次巻線部分（２３）を通して延伸する挿入セグメント（５１２）、を含む第１の磁心部品、ならびに、
前記第１の磁心部品（５１）と共に磁気回路経路を形成する第２の磁心部品（５２）であって、かつ、
長手方向（Ｘ）に延伸する接続セグメント（５２１）、
長手方向（Ｘ）に互いの反対側の、かつ、前記第２の磁心部品（５２）の前記拡張セグメント（５２３）がそれぞれ前記第１の磁心部品（５１）の前記拡張セグメント（５１３）と接触するように、前記第２の磁心部品（５２）の前記接続セグメント（５２１）から横方向（Ｙ）に前記ケーシング（２５）の中に延伸する、２つの拡張セグメント（５２３）、および、
前記第２の磁心部品（５２）の前記拡張セグメント（５２３）の間に間隔をおいて配設されて、かつ、前記第２の磁心部品（５２）の前記挿入セグメント（５２２）がそれぞれ前記第１の磁心部品（５１）の前記挿入セグメント（５１２）と接触するように、前記第２の磁心部品（５２）の前記接続セグメント（５２１）から横方向（Ｙ）に前記ボビンユニット（２ｇ）の前記二次巻線部分（２４）を通してそれぞれ延伸する２つの挿入セグメント（５２２）、を含む第２の磁心部品、を含む磁心ユニットと、を備えるトランス。
【発明の詳細な説明】
【技術分野】
【０００１】
本発明はトランス、特に漏れ磁束を調整することが可能なトランスに関する。
（関連出願の相互参照）
【０００２】
本出願は、それぞれ２００８年９月、および２００８年１２月２９日に出願された、特許文献１および特許文献２の優先権を主張する。
【背景技術】
【０００３】
図１は、特許文献３内に開示された従来のトランス１を例示する。従来のトランス１は、それぞれ２つのバー形状の磁心１３の回りに巻付けられて、かつ磁心１３に電磁気で連結する一次巻線１１に電磁気で連結する、２つの一次巻線１２を含む。
【０００４】
磁心１３ならびに一次巻線１１および二次巻線１２の組立の後、従来のトランスの漏れ磁束が決定される。しかしながら、磁心１３が焼結による磁気粉末でできているので、各磁心１３の寸法の誤差が焼結プロセス中の伸縮のために生じる場合がある。結果として、磁心１３の磁気抵抗は同一でなく、それによって、パワー伝達における二次巻線１２の間の差異に結びつく。
【先行技術文献】
【特許文献】
【０００５】
【特許文献１】台湾出願番号第０９７１３４３８７号
【特許文献２】台湾出願番号第０９７１５１２０５号
【特許文献３】米国特許第６，４２４，２４７号
【発明の概要】
【発明が解決しようとする課題】
【０００６】
したがって、本発明の目的は製造中に漏れ磁束を調整することが可能なトランスを提供することである。
【課題を解決するための手段】
【０００７】
本発明の一態様によれば、トランスが、
第１の一次巻線部分および第１の二次巻線部分を有するボビンユニットと、
ボビンユニットの第１の一次巻線部分の回りに巻付けられる第１の一次巻線と、
ボビンユニットの第１の二次巻線部分の回りに巻付けられて、第１の一次巻線に電磁気で連結する第１の二次巻線と、
ボビンユニットに取り付けられる磁心ユニットであって、かつ、
第１の磁心部品であって、
永手方向に延伸する接続セグメント、
第１の磁心部品の接続セグメントから長手方向に垂直な横方向に、かつボビンユニットの第１の一次巻線部分を通して延伸する第１の挿入セグメント、
および、
第１の磁心部品の接続セグメントから横方向に延伸し、かつ第１の磁心部品の第１の挿入セグメントから離れて間隔を置かれる第１の拡張セグメント、を含む第１の磁心部品、ならびに、
第１の磁心部品と共に磁気回路経路を形成する第２の磁心部品であって、かつ
長手方向に延伸する接続セグメント、
第２の磁心部品の接続セグメントから横方向に第１の磁心部品の方へかつボビンユニットの第１の二次巻線部分を通して延伸し、かつ第１の磁心部品の第１の挿入セグメントと接触して配設される、第１の挿入セグメント、
第２の磁心部品の接続セグメントから横方向に第１の磁心部品の方へ延伸し、第２の磁心部品の第１の挿入セグメントから離れて間隔を置かれ、かつ第１の磁心部品の第１の拡張セグメントと接触して配設される、第１の拡張セグメント、および、
第２の磁心部品の接続セグメントから横方向に第１の磁心部品の方へ延伸する第１の調整セグメント、を含む第２の磁    心部品、を含む磁心ユニットと、を備える。
【０００８】
本発明の別の態様によれば、トランスが、
一次巻線部分、２つの二次巻線部分、ならびに一次巻線部分および二次巻線部分をその中に取り付けるためのケーシング、を含むボビンユニットと、
ボビンユニットの一次巻線部分の回りに巻付けられる一次巻線と、
ボビンユニットの二次巻線部分の回りにそれぞれ巻付けられて、一次巻線に電磁気で連結する２つの二次巻線と、
ボビンユニットに取り付けられる磁心ユニットであって、かつ、
第１の磁心部品であって、
長手方向に延伸する接続セグメント、
長手方向に互いの反対側に、かつ第１の磁心部品の接続セグメントから長手方向に対して垂直な横方向にケーシングの中に延伸する、２つの拡張セグメント、および、
第１の磁心部品の拡張セグメントの間に間隔をおいて配設されて、ボビンユニットの一次巻線部分を通して接続セグメントから横方向に延伸する挿入セグメント、を含む第１の磁心部品、ならびに、
第１の磁心部品とともに磁気回路経路を形成する第２の磁心部品であって、かつ、
長手方向に延伸する接続セグメント、
第２の磁心部品の拡張セグメントが、それぞれ第１の磁心部品の拡張セグメントと接触するように、長手方向に互いの反対側に、第２の磁心部品の接続セグメントから横方向にケーシングの中に延伸する２つの拡張セグメント、および、
第２の磁心部品の拡張セグメントの間に間隔をおいて配設され、かつ、第２の磁心部品の挿入セグメントがそれぞれ第１の磁心部品の挿入セグメントと接触するように、第２の磁心部品の接続セグメントから横方向にボビンユニットの二次巻線部分を通してそれぞれ延伸する、２つの挿入セグメント、を含む第２の磁心部品、を含む磁心ユニットと、を備える。
【図面の簡単な説明】
【０００９】
本発明の他の特徴および効果は、添付の図面を参照して以下の好ましい実施態様の詳細な説明において明らかになり、それについて、
【図１】従来のトランスの模式的な平面図である。
【図２】本発明に従うトランスの第１の好ましい実施態様を示す分解斜視図である。
【図３】第１の好ましい実施態様を示す組立斜視図である。
【図４】第１の好ましい実施態様の磁心ユニットを示す略図である。
【図５】本発明に従うトランスの第２の好ましい実施態様を示す斜視図である。
【図６】第２の好ましい実施態様の磁心ユニットの略図である。
【図７】本発明に従うトランスの第３の好ましい実施態様を示す部分的分解斜視図であり、簡単にするために第１の一次巻線が省略されている。
【図８】第３の好ましい実施態様を示す分解斜視図であり、簡単さのために一次巻線ならびに第１および第２の二次巻線が省略されている。
【図９】第３の好ましい実施態様の磁心ユニットを示す略図である。
【図１０】ラインＸ〜Ｘに沿っての図７の概略断面図である。
【図１１】本発明に従うトランスの第４の好ましい実施態様を示す斜視図である。
【図１２】第４の好ましい実施態様を示す分解斜視図であり、簡単にするために第１および第２の一次巻線ならびに第１および第２の二次巻線が省略されている。
【図１３】第４の好ましい実施態様の磁心ユニットを示す略図である。
【図１４】第４の好ましい実施態様の磁心ユニットの一変形例の略図である。
【図１５】本発明に従うトランスの第５の好ましい実施態様を示す斜視図である。
【図１６】第５の好ましい実施態様を示す分解斜視図であり、簡単さのために第１の一次巻線および第１の二次巻線が省略されている。
【図１７】第５の好ましい実施態様の磁心ユニットを示す略図である。
【図１８】本発明に従うトランスの第６の好ましい実施態様を示す斜視図である。
【図１９】第６の好ましい実施態様の磁心ユニットを示す斜視図である。
【図２０】第６の好ましい実施態様の磁心ユニットの一変形例の斜視図である。
【図２１】本発明に従うトランスの第７の好ましい実施態様を示す斜視図である。
【図２２】第７の好ましい実施態様の磁心ユニットを示す斜視図である。および
【図２３】本発明に従うトランスの第８の好ましい実施態様を示す分解斜視図である。
【発明を実施するための形態】
【００１０】
本発明がより詳細に記載される前に、同様な要素が開示の全体にわたって同じ参照番号によって示される点に留意する必要がある。
【００１１】
図２および３を参照して、本発明に従うトランスの第１の好ましい実施態様が、ボビンユニット１、第１の一次巻線３、第１の二次巻線４および磁心ユニット６を含むことを示す。
【００１２】
ボビンユニット２は、本実施態様において第１の一次巻線部分２１および第１の二次巻線部分２２を含む。
【００１３】
第１の一次巻線３は、ボビンユニット２の第１の一次巻線部分２１の回りに巻付けられる。
【００１４】
第１の二次巻線４は、ボビンユニット２の第１の二次巻線部分２２の回りに巻付けられて、第１の一次巻線３に電磁気で連結する。
【００１５】
更に図４を参照して、磁心ユニット６がボビンユニット２に取り付けられて、第１の磁心部品６１および第１の磁心部品６１と共に磁気回路経路を形成する第２の磁心部品６２を含む。
【００１６】
本実施態様において、第１の磁心部品６１は接続セグメント６１１、第１の挿入セグメント６１２および第１の拡張セグメント６１３を含む。接続セグメント６１１は、長手方向（Ｘ）に延伸する。第１の挿入セグメント６１２は、接続セグメント６１１から長手方向（Ｘ）に垂直な横方向（Ｙ）にかつボビンユニット２の第１の一次巻線部分２１を通して延伸する。第１の拡張セグメント６１３は、接続セグメント６１１から横方向（Ｙ）に延伸して、第１の挿入セグメント６１２から離れて間隔を置かれる。
【００１７】
本実施態様において、第２の磁心部品６２は接続セグメント６２１、第１の挿入セグメント６２２、第１の拡張セグメント６２３および第１の調整セグメント６２４を含む。接続セグメント６２１は、長手方向（Ｘ）に延伸する。第１の挿入セグメント６２２は、接続セグメント６２１から横方向（Ｙ）に第１の磁心部品６１の方へ、かつボビンユニット２の第１の二次巻線部分２２を通して延伸して、第１の磁心部品６１の第１の挿入セグメント６１２と接触して配設される。第１の拡張セグメント６２３は、接続セグメント６２１から横方向（Ｙ）に第１の磁心部品６１の方へ延伸し、第１の挿入セグメント６２２から離れて間隔を置かれて、かつ第１の磁心部品６１の第１の拡張セグメント６１３と接触して配設される。第１の調整セグメント６２４は、接続セグメント６２１から横方向（Ｙ）に第１の磁心部品６１の方へ延伸して、かつこの実施態様の第１の挿入セグメント６２２と第１の拡張セグメント６２３との間に間隔をおいて配設される。第１の調整セグメント６２４は、第１の磁心部品６１に面し、かつ磁気リーク域６０として機能する端面を有する。
【００１８】
図４に示すように、第１の空隙１００が第１の磁心部品６１の第１の挿入セグメント６１２と第２の磁心部品６２の第１の調整セグメント６２４との間に形成される点に注意される。したがって、製造中に、横方向（Ｙ）の第１の空隙１００の幅は、磁気回路経路からの磁気リークを制御する、すなわち、リーク係数を調整するように、第１の調整セグメント６２４の長さを変化させることによって調整されることができ、それによってインピーダンス整合を達成することができる。したがって、このトランスは最大パワー伝達を達成することができる。
【００１９】
図５および６は本発明に従うトランスの第２の好ましい実施態様を例示し、それは第１の好ましい実施態様の一変更態様である。本実施態様において、第２の磁心部品（６２ａ）に対して、第１の調整セグメント（６２４ａ）は第１の拡張セグメント（６２３ａ）に一体的に接続されている。製造中に、第１の空隙１００は磁気リーク域６０が形成されるように、第１の調整セグメント（６２４ａ）を研磨することによって形成される。
【００２０】
図７ないし１０は本発明に従うトランスの第３の好ましい実施態様を例示し、それは第１の好ましい実施態様の一変更態様である。本実施態様において、このトランスは第１の一次巻線３に電磁気で連結する第２の二次巻線４’を更に含む。
【００２１】
ボビンユニット（２ｂ）が、その周りに第２の二次巻線４’を巻付けるために長手方向（Ｘ）に第１の二次巻線部分２２の反対側に第２の二次巻線部分２２’を更に有する。本実施態様において、ボビンユニット（２ｂ）は第１のボビン２０および第１のボビン２０に接続される第２のボビン２０’を含む。第１のボビン２０は、横方向（Ｙ）に互いの反対側に第１および第２の巻線端部分２０１、２０２を有する。第２の巻線端部分２０２は、第１の二次巻線部分２２として機能する。第２のボビン２０’は、横方向（Ｙ）に互いの反対側に第１および第２の巻線端部分２０１’、２０２’を有する。第２のボビン２０’の第２の巻線端部分２０２’は第１のボビン２０の第２の巻線端部分２０２に接続され、かつ第２の二次巻線部分２２’として機能する。第１および第２のボビン２０、２０’の第１の巻線端部分２０１、２０１’は、相補的であって、互いに接続されて、第１の一次巻線部分２１を構成する。第１および第２のボビン２０、２０’の各々は、更にその第１の巻線端部分２０１、２０１’から延伸する第１および第２のピン２１４、２１５、およびその第２の巻線端部分２０２、２０２’から延伸する第３のピン２１６を有する。本実施態様において、図８に示すように、第１のボビン２０の第１および第２の巻線端部分２０１、２０２の各々は、係合フランジ２１８を有する。第２のボビン２０’の第１および第２の巻線端部分２０１’、２０２’の各々は、第１のボビン２０の第１および第２の巻線端部分２０１、２０２の対応するものの係合フランジ２１８を係合する係合溝２１７とともに形成される。
【００２２】
第１の一次巻線３が、それぞれ第１および第２のボビン２０、２０’の第１のピン２１４に連結する対向端部分を有する巻線ワイヤの連続的な巻付を通して形成される。
【００２３】
第１の二次巻線４が、対向端部分を有する巻線ワイヤの連続的な巻付を通して形成され、その一つが、第１のボビン２０の第１の巻線端部分２０１に沿って延伸して、第１のボビン２０の第２のピン２１５に連結し、およびその残りの１つが第１のボビン２０の第３のピン２１６に連結する。
【００２４】
第２の二次巻線４’が、対向端部分を有する巻線ワイヤの連続的な巻付を通して形成され、その一つが、第２のボビン２０’の第１の巻線端部分２０１’に沿って延伸して、第２のボビン２０’の第２のピン２１５に連結し、およびその残りの１つが第２のボビン２０’の第３のピン２１６に連結する。
【００２５】
さらに、第１および第２のボビン２０、２０’の各々の第１の巻線端部分２０１、２０１’は、それを通して第１および第２の二次巻線４、４’の対応する１つの巻線ワイヤの対向端部分の前記１つの延伸ができるようにするためのワイヤ収容通路２１３が形成されている。
【００２６】
図８および９に記載の、この実施態様において、磁心ユニット（６ｂ）の第１の磁心部品（６１ｂ）は、接続セグメント６１１から横方向に、かつ、第１の挿入セグメント６１２が、第１および第２の拡張セグメント６１３、６１４の間に間隔をおいて配設されるように、長手方向（Ｘ）に第１の拡張セグメント６１３の反対側に、延伸する第２の拡張セグメント６１４を更に含む。磁心ユニット（６ｂ）の第２の磁心部品（６２ｂ）は、第２の拡張セグメント６２５および第２の挿入セグメント６２６を更に含む。第２の磁心部品（６２ｂ）に対して、第２の拡張セグメント６２５が、接続セグメント６２１から横方向（Ｙ）に第１の磁心部品（６１ｂ）の方へ延伸し、第１の挿入セグメント６２２および第１の調整セグメント６２４が第１および第２の拡張セグメント６２３、６２５の間に間隔をおいて配設されるように、長手方向（Ｘ）に第１の拡張セグメント６２３の反対側にあり、かつ第１の磁心部品（６１ｂ）の第２の拡張セグメント６１４と接触して配設される。第２の挿入セグメント６２６が、第１の拡張セグメント６２３と第１の調整セグメント６２４との間に間隔をおいて配設されて、第１の磁心部品（６１ｂ）の第１の挿入セグメント６１２と接触するように第１の磁心部品（６１ｂ）の方へ、かつ接続セグメント６２１から横方向（Ｙ）にボビンユニット（２ｂ）の第２の二次巻線部分２２’を通して延伸する。
【００２７】
さらに、図７および１０を参照して、ボビンユニット（２ｂ）の第１の一次巻線部分２１は、第１および第２の二次巻線部分２２、２２’に接続され、第１および第２の二次巻線部分２２、２２’の間に配設され、かつ第２の磁心部品（６２ｂ）の第１の調整セグメント６２４と位置合せされる開口部２１９とともに形成され、かつそれを通してボビンユニット（２ｂ）の第１の一次巻線部分２１内への第２の磁心部品（６２ｂ）の第１および第２の挿入セグメント６２２、６２６の延伸ができるようにする、接続側を有する。結果として、磁界線が開口部２１９を貫通することが可能である。
【００２８】
図１１ないし１３は本発明に従うトランスの第４の好ましい実施態様を例示し、それは第１の好ましい実施態様の一変更態様である。本実施態様において、トランスは第２の一次巻線３’および第２の一次巻線３’に電磁気で連結する第２の二次巻線４’を更に含む。ボビンユニット（２ｃ）が、長手方向（Ｘ）に互いの反対側に第１および第２のボビン（２０ｃ、２０ｃ’）を含む。第１および第２のボビン（２０ｃ、２０ｃ’）の各々は、横方向（Ｙ）に第１および第２の巻線端部分を有する。第１のボビン（２０ｃ）の第１および第２の巻線端部分は、それぞれ第１の一次巻線部分２１および第１の二次巻線部分２２として機能する。第２のボビン（２０ｃ’）の第１および第２の巻線端部分は、それぞれ、その周囲に第２の一次巻線３’を巻付けるための第２の一次巻線部分２１’、および、その周囲に第２の二次巻線４’を巻付けるための第２の二次巻線部分２２’として機能する。
【００２９】
図１２および１３を参照して、この実施態様において、磁心ユニット（６ｃ）の第１の磁心部品（６１ｃ）は、第１の拡張セグメント６１３が、第１および第２の挿入セグメント６１２、６１５の間に間隔をおいて配設されるように、接続セグメント６１１から横方向（Ｙ）に、かつ第２の一次巻線部分２１’を通して、かつ長手方向（Ｘ）に第１の挿入セグメント６１２の反対側に延伸する第２の挿入セグメント６１５を更に含む。磁心ユニット（６ｃ）の第２の磁心部品（６２ｃ）は、第２の挿入セグメント６２６および第２の調整セグメント６２７を更に含む。第２の磁心部品（６２ｃ）に対して、第２の挿入セグメント６２６が、接続セグメント６２１から第１の磁心部品（６１ｃ）の方へ横方向（Ｙ）にかつ第２の一次巻線部分２２’を通して延伸し、第１の拡張セグメント６２３が第１および第２の挿入セグメント６２２、６２６の間に間隔をおいて配設されるように、長手方向（Ｘ）に第１の挿入セグメント６２２の反対側にあり、かつ第１の磁心部品（６１ｃ）の第２の挿入セグメント６１５と接触して配設される。第２の調整セグメント６２７は、本実施態様において、第１の拡張セグメント６２３と第２の挿入セグメント６２６との間に間隔をおいて配設され、かつ、第２の空隙２００が第１の磁心部品（６１ｃ）の第２の挿入セグメント６１５と第２の調整セグメント６２７との間に形成されるように、接続セグメント６２１から第１の磁心部品（６１ｃ）の方へ横方向（Ｙ）に延伸する。
【００３０】
この種の構成において、製造中に、横方向（Ｙ）の第１および第２の空隙１００、２００の幅は、磁気回路経路からの磁気リークを制御する、すなわち、リーク係数を調整するように、第１および第２の調整セグメント６２４、６２７の長さを変化させることによって調整されることができ、それによってインピーダンス整合を達成することができる。したがって、このトランスは最大パワー伝達を達成することができる。
【００３１】
図１４は、第４の好ましい実施態様のトランスの磁心ユニット（６ｃ）の一変形例を例示し、第２の磁心部品（６２ｃ）の第１の拡張セグメント６２３が、第１および第２の調整セグメント６２４、６２７と一体的に接続されている。
【００３２】
図１５ないし１７は本発明に従うトランスの第５の好ましい実施態様を例示し、それは第１の好ましい実施態様の一変更態様である。
【００３３】
本実施態様において、磁心ユニット（６ｄ）の第１の磁心部品（６１ｄ）に対して、第２の凸部６１２２が第１の拡張セグメント６１３と第１の凸部６１２１との間に配設されるように、第１の挿入セグメント（６１２ｄ）が長手方向（Ｘ）に互いの反対側に第１および第２の凸部６１２１、６１２２を有する。第１の凸部６１２１は、ボビンユニット２の第１の二次巻線部分２２内に延伸して、第２の磁心部品６２の第１の挿入セグメント６２２と接触して配設される（図１７を参照）。第２の凸部６１２２は、前記ボビンユニット２の第１の一次巻線部分２１から外側に延伸し（図１５を参照）、第１の空隙１００が第２の凸部６１２２と第２の磁心部品６２の第１の調整セグメント６２４との間に形成されるように、第２の磁心部品６２の第１の調整セグメント６２４と位置合せされる。
【００３４】
さらに、ボビンユニット２は更に二次巻線部分２２の一方から延伸する２本のピン２２１、および、第１の二次巻線部分２２に接続され、かつ第１の二次巻線部分２２から離れて間隔を置いて配置される、第１の一次巻線部分２１の接続側に配設されるワイヤ−案内部材２１１を有する。第１の二次巻線４を形成するときに、最初に、巻線ワイヤの一端が１本のピン２２１に連結する。次いで、巻線ワイヤがボビンユニット２の第１の二次巻線部分２２の回りに連続的に巻付けられて、その後ワイヤ−案内部材２１１によって残りのピン２２１に導かれる。最後に、巻線ワイヤの他端が残りのピン２２１に連結する。したがって、この種の巻線は、高圧放電を回避することができる。
【００３５】
図１８および１９は本発明に従うトランスの第６の好ましい実施態様を例示し、それは第１の好ましい実施態様の一変更態様である。第１の好ましい実施態様とは異なり、磁心ユニット（６ｅ）の第２の磁心部品（６２ｅ）に対して、第１の挿入セグメント６２２が、第１の拡張セグメント６２３と第１の調整セグメント６２４との間に間隔をおいて配設される。図２０は、第６の好ましい実施態様のトランスの一変形例を例示する。
【００３６】
図２１および２２は本発明に従うトランスの第７の好ましい実施態様を例示し、それは第６の好ましい実施態様の一変更態様である。本実施態様において、磁心ユニット（６ｆ）の第１の磁心部品（６１ｆ）は、第１の挿入セグメント６１２が、第１および第２の拡張セグメント６１３、６１４の間に間隔をおいて配設されるように、横方向（Ｙ）に接続セグメント６１１から、かつ長手方向（Ｘ）に第１の拡張セグメント６１３の反対側に延伸する、第２の拡張セグメント６１４を更に含む。磁心ユニット（６ｆ）の第２の磁心部品（６２ｆ）は、第１の挿入セグメント６２２および第１の調整セグメント６２４が第１および第２の拡張セグメント６２３、６２５の間に間隔をおいて配設され、かつ第１の磁心部品（６１ｆ）の第２の拡張セグメント６１４と接触して配設されるように、接続セグメント６２１から横方向（Ｙ）に第１の磁心部品（６１ｆ）の方へ、長手方向（Ｘ）に第１の拡張セグメント６２３の反対側に延伸する、第２の拡張セグメント６２５を更に含む。
【００３７】
図２３を参照して、本発明に従うトランスの第８の好ましい実施態様が、ボビンユニット（２ｇ）、一次巻線３、２つの二次巻線４および磁心ユニット５を含むことを示す。
【００３８】
ボビンユニット（２ｇ）は、一次巻線部分２３、２つの二次巻線部分２４ならびに一次巻線部分２３および二次巻線部分２４をその中に取り付けるためのケーシング２５を含む。一次巻線３は、ボビンユニット（２ｇ）の一次巻線部分２３の回りに巻付けられる。
【００３９】
二次巻線４は、ボビンユニット（２ｇ）の二次巻線部分２４の回りにそれぞれ巻付けられて、一次巻線３に電磁気で連結する。
【００４０】
磁心ユニット５は、ボビンユニット（２ｇ）に取り付けられて、第１の磁心部品５１および第１の磁心部品５１とともに磁気回路経路を形成する第２の磁心部品５２を含む。
【００４１】
第１の磁心部品５１は、接続セグメント５１１、２つの拡張セグメント５１３および挿入セグメント５１２を含む。接続セグメント５１１は、長手方向（Ｘ）に延伸する。拡張セグメント５１３は、長手方向（Ｘ）に互いの反対側にあって、接続セグメント５１１から長手方向（Ｘ）に対して垂直な横方向（Ｙ）に、ケーシング２５の中へ延伸する。挿入セグメント５１２は、拡張セグメント５１３の間に間隔をおいて配設されて、接続セグメント５１１からボビンユニット（２ｇ）の一次巻線部分２３を通して横方向（Ｙ）に延伸する。
【００４２】
第２の磁心部品５２は、接続セグメント５２１、２つの拡張セグメント５２３および２つの挿入セグメント５２２を含む。接続セグメント５２１は、長手方向（Ｘ）に延伸する。拡張セグメント５２３は、長手方向（Ｘ）に互いの反対側にあって、第２の磁心部品５２の拡張セグメント５２３がそれぞれ第１の磁心部品５１の拡張セグメント５１３と接触するように、接続セグメント５２１から横方向（Ｙ）にケーシング２５の中に延伸する。挿入セグメント５２２は、拡張セグメント５２３の間に間隔をおいて配設されて、第２の磁心部品５２の挿入セグメント５２２がそれぞれ第１の磁心部品５１の挿入セグメント５１２と接触するように、接続セグメント５２１からボビンユニット（２ｇ）の二次巻線部分２４を通して横方向（Ｙ）にそれぞれ延伸する。
【００４３】
本実施態様において、トランスに連結する負荷および共振周波数が、先の好適な実施態様におけるいかなる調整セグメントもなしで最大パワー伝達を達成するように適切に選ばれることができる点に留意する必要がある。さらに、他の実施態様では、第１の磁心部品５１の挿入セグメント５１２が、漏れ磁束を調整するために研磨されることができる。
【００４４】
要するに、製造中に、第１および第２の空隙１００、２００の幅は、磁気回路経路からの磁気リークを制御するように第１および第２の調整セグメント６２４、６２７の長さを変化させることによって調整されることができ、それによってインピーダンス整合を達成することができる。したがって、本発明のトランスは最大パワー伝達を達成することができる。
【００４５】
本発明が最も実際的で好まれた実施態様であるとみなされることと関連して記載されたとはいえ、本発明が開示された実施態様に限定されず、しかし、全てのこの種の変更態様および等価配置を包含するように最も幅広い解釈の範囲内に含まれる種々の配置を包含することを目的とすることが、理解される。
【符号の説明】
【００４６】
１  従来のトランス
１１  一次巻線
１２  二次巻線
１３  磁心
１、２、２ｂ、２ｃ、２ｇ  ボビンユニット
３  第１の一次巻線
３’  第２の一次巻線
４  第１の二次巻線
４’  第２の二次巻線
５、６、６ｂ、６ｃ、６ｄ、６ｅ、６ｆ  磁心ユニット
２０、２０ｃ  第１のボビン
２０’、２０ｃ’  第２のボビン
２１  第１の一次巻線部分
２１’  第２の一次巻線部分
２２  第１の二次巻線部分
２２’  第２の二次巻線部分
２３  一次巻線部分
２４  二次巻線部分
２５  ケーシング
５１、６１、６１ｂ、６１ｃ、６１ｄ、６１ｆ  第１の磁心部品
６０  磁気リーク域
５２、６２、６２ａ、６２ｂ、６２ｃ、６２ｅ、６２ｆ  第２の磁心部品
１００  第１の空隙
２００  第２の空隙
２０１、２０１’  第１の巻線端部分
２０２、２０２’  第２の巻線端部分
２１１  ワイヤ−案内部材
２１３  ワイヤ収容通路
２１４  第１のピン
２１５  第２のピン
２１６  第３のピン
２１７  係合溝
２１８  係合フランジ
２１９  開口部
２２１  ピン
５１１、５２１、６１１、６２１  接続セグメント
５１２、５２２  挿入セグメント
５１３、５２３  拡張セグメント
６１２、６１２ｄ、６２２  第１の挿入セグメント
６１３、６２３、６２３ａ  第１の拡張セグメント
６１４、６２５  第２の拡張セグメント
６２４、６２４ａ  第１の調整セグメント
６１５、６２６  第２の挿入セグメント
６２７  第２の調整セグメント
６１２１  第１の凸部
６１２２  第２の凸部
【図１】
2010135745.tif 000003
【図２】
2010135745.tif 000004
【図３】
2010135745.tif 000005
【図４】
2010135745.tif 000006
【図５】
2010135745.tif 000007
【図６】
2010135745.tif 000008
【図７】
2010135745.tif 000009
【図８】
2010135745.tif 000010
【図９】
2010135745.tif 000011
【図１０】
2010135745.tif 000012
【図１１】
2010135745.tif 000013
【図１２】
2010135745.tif 000014
【図１３】
2010135745.tif 000015
【図１４】
2010135745.tif 000016
【図１５】
2010135745.tif 000017
【図１６】
2010135745.tif 000018
【図１７】
2010135745.tif 000019
【図１８】
2010135745.tif 000020
【図１９】
2010135745.tif 000021
【図２０】
2010135745.tif 000022
【図２１】
2010135745.tif 000023
【図２２】
2010135745.tif 000024
【図２３】
2010135745.tif 000025
【外国語明細書】
2010135745000001.pdf